(57)【特許請求の範囲】
【請求項１】
生産システムから収集される生産系データの編集により作成される生産系編集データによって生産状態の表示を行う生産状態表示装置であって、
前記生産状態表示装置は、入力部と、表示部とを備え、
前記生産系データの類を特定する類特定データを、上下関係をもつ複数の層に分けて互いに対応づけてツリー構造を有するデータカタログとして記憶する類特定データファイル記憶部と、
前記記憶した類特定データを、前記データカタログにおける上下関係と同じ上下関係をもつ複数の層に分けて互いに対応づけ、さらに前記データカタログにおけるツリー構造と同じツリー構造で前記表示部に表示する類特定データ表示実行部と、
前記記憶した類特定データの中から生産状態の表示に必要となる類特定データの選択を、操作者の目的に沿った第１のミッションとして前記入力部から入力することにより実行する類特定データ選択実行部と、
前記入力された第１のミッションに基づいて前記生産系データの収集を実行する生産系データ収集実行部と、
前記生産系データ収集実行部により前記第１のミッションに基づいて収集した生産系データを目的別の生産系データテーブルとして記憶する生産系データテーブル記憶部と、
前記目的別の生産系データテーブルを特定する指令データ特定データを、上下関係をもつ複数の層に分けて互いに対応づけてツリー構造を有するデータカタログとして記憶する指令データテーブル記憶部と、
前記記憶されている指令データ特定データを、前記データカタログにおける上下関係と同じ上下関係をもつ複数の層に分けて互いに対応づけ、さらに前記データカタログにおけるツリー構造と同じツリー構造で前記表示部に表示する指令データ特定データ表示実行部と、
前記生産状態の表示に必要となる指令データ特定データの選択を、操作者の目的に沿った第２のミッションとして前記入力部から入力することにより実行する指令データ選択実行部と、
前記入力された第２のミッションに基づき生産系データテーブル記憶部における前記目的別の生産系データテーブルから前記第２のミッションの目的に応じた前記生産系データを取り込み、編集により前記生産系編集データを作成し、該作成された生産系編集データを生産系編集データファイル記憶部に登録する生産系編集データ作成実行部と、
前記入力部から入力された生産系編集データを特定する生産系編集データ特定データに対応する前記生産系編集データを前記生産系編集データファイル記憶部から抽出し、該抽出した生産系編集データを前記表示部に表示する生産系編集データ表示実行部と、
前記指令データテーブル記憶部における指令データテーブルの改変を、前記入力部から入力された改変データを用いて実行する指令データテーブル改変実行部と、
を含むことを特徴とする、生産状態表示装置。
【請求項２】
前記指令データテーブル改変実行部による前記指令データテーブル記憶部における指令データテーブルの改変は、該改変前の前記指令データテーブル記憶部における指令データテーブルを履歴として残しながら実行されるものであることを特徴とする、
請求項１に記載の生産状態表示装置。
【請求項３】
生産システムから収集される生産系データの編集により作成される生産系編集データによって生産状態の表示を行う生産状態表示装置であって、入力部、表示部、類特定データファイル記憶部、類特定データ表示実行部、類特定データ選択実行部、生産系データ収集実行部、生産系データテーブル記憶部、指令データテーブル記憶部、指令データ特定データ表示実行部、指令データ選択実行部、生産系編集データ作成実行部、生産系編集データファイル記憶部、生産系編集データ表示実行部及び指令データテーブル改変実行部を含むものを用いて行う生産状態表示方法であって、
前記類特定データファイル記憶部が、前記生産系データの類を特定する類特定データを、上下関係をもつ複数の層に分けて互いに対応づけてツリー構造を有するデータカタログとして記憶するステップと、
前記類特定データ表示実行部が、前記記憶した類特定データを、前記データカタログにおける上下関係と同じ上下関係をもつ複数の層に分けて互いに対応づけ、さらに前記データカタログにおけるツリー構造と同じツリー構造で前記表示部に表示するステップと、
前記類特定データ選択実行部が、前記記憶した類特定データの中から生産状態の表示に必要となる類特定データの選択を、操作者の目的に沿った第１のミッションとして前記入力部から入力することにより実行するステップと、
前記生産系データ収集実行部が、前記入力された第１のミッションに基づいて前記生産系データの収集を実行するステップと、
前記生産系データテーブル記憶部が、生産系データ収集実行部により前記第１のミッションに基づいて収集した生産系データを目的別の生産系データテーブルとして記憶するステップと、
前記指令データテーブル記憶部が、前記目的別の生産系データテーブルを特定する指令データ特定データを、上下関係をもつ複数の層に分けて互いに対応づけてツリー構造を有するデータカタログとして記憶するステップと、
前記指令データ特定データ表示実行部が、前記記憶されている指令データ特定データを、前記データカタログにおける上下関係と同じ上下関係をもつ複数の層に分けて互いに対応づけ、さらに前記データカタログにおけるツリー構造と同じツリー構造で前記表示部に表示するステップと、
前記指令データ選択実行部が、前記生産状態の表示に必要となる指令データ特定データの選択を、操作者の目的に沿った第２のミッションとして前記入力部から入力することにより実行するステップと、
前記生産系編集データ作成実行部が、前記入力された第２のミッションに基づき生産系データテーブル記憶部における前記目的別の生産系データテーブルから前記第２のミッションの目的に応じた前記生産系データを取り込み、編集により前記生産系編集データを作成し、該作成された生産系編集データを生産系編集データファイル記憶部に登録するステップと、
前記生産系編集データ表示実行部が、前記入力部から入力された生産系編集データを特定する生産系編集データ特定データに対応する前記生産系編集データを前記生産系編集データファイル記憶部から抽出し、該抽出した生産系編集データを前記表示部に表示するステップと、
前記指令データテーブル改変実行部が、前記指令データテーブル記憶部における指令データテーブルの改変を、前記入力部から入力された改変データを用いて実行するステップと、
を含むことを特徴とする、生産状態表示方法。
【請求項４】
前記指令データテーブル改変実行部による前記指令データテーブル記憶部における指令データテーブルの改変は、該改変前の前記指令データテーブル記憶部における指令データテーブルを履歴として残しながら実行されるものであることを特徴とする、
請求項３に記載の生産状態表示方法。
【請求項５】
入力部及び表示部を備え、生産システムから収集される生産系データの編集により作成される生産系編集データによって生産状態の表示を行う生産状態表示装置に適用される生産状態表示装置用のプログラムであって、
コンピュータを、
前記生産系データの類を特定する類特定データを、上下関係をもつ複数の層に分けて互いに対応づけてツリー構造を有するデータカタログとして記憶する類特定データファイル記憶部と、
前記記憶した類特定データを、前記データカタログにおける上下関係と同じ上下関係をもつ複数の層に分けて互いに対応づけ、さらに前記データカタログにおけるツリー構造と同じツリー構造で前記表示部に表示する類特定データ表示実行部と、
前記記憶した類特定データの中から生産状態の表示に必要となる類特定データの選択を、操作者の目的に沿った第１のミッションとして前記入力部から入力することにより実行する類特定データ選択実行部と、
前記入力された第１のミッションに基づいて前記生産系データの収集を実行する生産系データ収集実行部と、
前記生産系データ収集実行部により前記第１のミッションに基づいて収集した生産系データを目的別の生産系データテーブルとして記憶する生産系データテーブル記憶部と、
前記目的別の生産系データテーブルを特定する指令データ特定データを、上下関係をもつ複数の層に分けて互いに対応づけてツリー構造を有するデータカタログとして記憶する指令データテーブル記憶部と、
前記記憶されている指令データ特定データを、前記データカタログにおける上下関係と同じ上下関係をもつ複数の層に分けて互いに対応づけ、さらに前記データカタログにおけるツリー構造と同じツリー構造で前記表示部に表示する指令データ特定データ表示実行部と、
前記生産状態の表示に必要となる指令データ特定データの選択を、操作者の目的に沿った第２のミッションとして前記入力部から入力することにより実行する指令データ選択実行部と、
前記入力された第２のミッションに基づき生産系データテーブル記憶部における前記目的別の生産系データテーブルから前記第２のミッションの目的に応じた前記生産系データを取り込み、編集により前記生産系編集データを作成し、該作成された生産系編集データを生産系編集データファイル記憶部に登録する生産系編集データ作成実行部と、
前記入力部から入力された生産系編集データを特定する生産系編集データ特定データに対応する前記生産系編集データを前記を前記生産系編集データファイル記憶部から抽出し、該抽出した生産系編集データを前記表示部に表示する生産系編集データ表示実行部と、
前記指令データテーブル記憶部における指令データテーブルの改変を、前記入力部から入力された改変データを用いて実行する指令データテーブル改変実行部として
機能させることを特徴とする、生産状態表示装置用のプログラム。
【発明の詳細な説明】
【０００１】
【発明の属する技術分野】
本発明は、工場における生産システムからの生産系データを用いて行う生産状態の表示に用いられる生産状態表示装置、生産状態表示方法及び生産状態表示装置用のプログラムに関する。
【０００２】
【従来の技術】
工場において生産される製品は、競争の場である市場に供給されるものである以上、より安価な製品を市場に供給し続ける必要がある。
そのため、工場においては、高度の生産性と経済効果が得られるように、個々の機械や器具の自動化を含めて、全体をいかに組織化し、効果的に管理するかということを大きな目標としている。
【０００３】
従来から、工場においては、注文を受けた製品の製造計画から、部品の加工・組立、製品の出荷までの、いろいろな工程に関する情報を的確に把握して、生産システム全体の、効果的な管理及び制御を行ってきている。
また、企業においては、受注から生産までの経営全体をコンピュータによるネットワークによって制御するという考え方を積極的に取り入れている。
【０００４】
【発明が解決しようとする課題】
ところで、工場における生産システムにおいては、センサなどを通じて温度、ガス分析などの化学量、物理量の定量的な測定によって得られるタグデータ、タグデータを必要に応じて変換してなる計装データその他の生産システムから収集されるデータ（以下、生産系データという）が得られる。
このような生産システムから収集される生産系データは、工場における生産状態の把握を行う上で重要な意義を有している。
【０００５】
しかしながら、従来にあっては、通常、各工場において定型的、典型的なフォームのものが事前的に準備されているに過ぎなかったことから、工場における生産状態を把握するための資料その他の表示（以下、生産状態の表示という）は、生産システムから収集される生産系データをそのような定型的、典型的なフォームに適合させる形式で行われていた。
【０００６】
その結果、得られる生産状態の表示は、いきおい定型的、典型的なものに限定されることとなり、特に因果法則が不明であるために予測をともなった事前的な管理が困難であるという特質を有する製品を扱っている工場の場合には、生産系データを用いて行う事後的な管理がきわめて重要となるにも拘わらず、そのような定型的、典型的な生産状態の表示では、見えざる問題の探索、発見は殆ど不可能であり、効率的、効果的な事後的管理を行うことが事実上困難な状況となっていた。
【０００７】
そこで、本発明の課題は、工場生産において見えざる問題の探索、発見コストの低減効果が確実かつ十分に得られるように、迅速かつ的確な生産状態の把握が可能となり、ひいては効率的かつ効果的な事後的管理を行うことが可能となるような非定型的な生産状態の表示が得られる生産状態表示装置、生産状態表示方法及び生産状態表示装置用のプログラムを提供することにある。
【０００８】
【課題を解決するための手段】
このような課題を解決するために、本発明では、生産状態表示装置、生産状態表示方法又は生産状態表示装置用のプログラムが、工場における生産システムからの生産系データを用いて、指令データテーブルの記憶、指令データテーブルの改変、指令データ特定データの表示、指令データの選択、生産系編集データの作成、生産系編集データファイルの記憶及び生産系編集データの表示などの機能を果たし又は一連の処理を行う。
本発明によれば、迅速かつ的確な生産状態の把握が可能となり、ひいては効率的かつ効果的な事後的管理を行うことが可能となるような非定型的な生産状態の表示が得られる。
【発明の実施の形態】
以下、添付図面に基づいて本発明の実施の形態を詳細に説明する。
【０００９】
［生産状態表示装置１］
図１は本発明の一実施の形態に係る生産状態表示装置が適用された情報システムの全体構成図、図２は該生産状態表示装置が適用された情報システムの部分構成図、図３は該生産状態表示装置の全体構成図を示している。
【００１０】
本実施の形態における生産状態表示装置１は、図１に示すようなリアルタイム製造原価管理、品質シュミレータ、プロセス診断分析支援、映像検索・分析及び各種目的別分析、ＥＲＰシステム又はＳＣＭシステムに必要な情報を提供するものとして構成されている。
【００１１】
また、生産システムは、同図に示すような監視制御システム、製造システム、包装システム、実績収集システム、画像監視システム、品質検査システム及び倉庫管理システムなど生産に関わるシステム等である。
【００１２】
ここで、図２に示すように、この生産状態表示装置１をＥＲＰシステムやＳＣＭシステムの一部として構成した場合には、生産システムから収集される生産系データの編集により、ＥＲＰシステムやＳＣＭシステムの必要とする実績データ（例えばバッチ毎温度トレンドやバッチ毎レベル計値）を含む非定型的な生産状態把握用のデータとして活用することが可能となる（例えば計装データのハンドリング）。
【００１３】
つまり、この生産状態表示装置１によって得られる生産状態の表示によれば、生産系編集データによって生産状態を把握することが可能となることから、迅速かつ的確な生産状態の把握が可能となり（例えばエネルギー消費量や在庫数量）、ひいては効率的かつ効果的な事後的管理を行うことが可能となっている（例えば会計の製造原価への反映やリアルタイムな在庫数量のＳＣＭシステムへの反映）。
【００１４】
ここで、生産状態の把握を可能にする生産系編集データとしては、例えば温度上昇によって製造コストが上昇した場合における製造コストデータや温度上昇によってロス率が増加した場合におけるロス率データなどを挙げることができる。
【００１５】
具体的には、このような生産状態表示装置１は、図３に示すように、バス線Ｂと、これに接続される各装置である、主制御部１１、テーブル記憶部１２、入出力部１３と及び通信制御部１４とからなっている。
【００１６】
テーブル記憶部１２は、同図に示すように、類特定データファイル１２ａと、生産系データテーブル１２ｂと、指令データテーブル１２ｃと、生産系編集データテーブル１２ｄとを含むものとして構成されている。
【００１７】
ここで、類特定データファイル記憶部としてのテーブル記憶部１２は、生産系データの類を特定する類特定データを上下関係をもつ複数の層に分けて互いに対応づけてなる類特定データファイル１２ａを記憶する機能を果たす。
【００１８】
また、生産系データテーブル記憶部としてのテーブル記憶部１２は、類特定データに対して類に含まれる収集した生産系データが対応させられている生産系データテーブル１２ｂを記憶する機能を果たす。
【００１９】
さらに、指令データテーブル記憶部としてのテーブル記憶部１２は、所定の制約条件、所定の項目その他の生産系編集データの作成に必要となる指令を含む指令データを特定する指令データ特定データであって上下関係をもつ複数の層に分けて互いに対応づけられているものに対して指令データが対応させられている指令データテーブル１２ｃを記憶する機能を果たす。
【００２０】
さらにまた、生産系編集データファイル記憶部としてのテーブル記憶部１２は、作成した生産系編集データを特定する生産系編集データ特定データに対して生産系編集データが対応させられている生産系編集データファイル１２ｄを記憶する機能を果たす。
【００２１】
一方、入出力部１３は、同図に示すように、入力部１３ａと、表示部１３ｂとを含むものとして構成されている。そして、この入出力部１３には、図示しないが、キーボード、マウス、モニタなどがＩ／Ｏ装置を介して接続されている。また、通信制御部１４は、図示しないが、ＴＣＰ／ＩＰに従って通信を行う機能を有しており、ローカルエリアネットワーク（図示外）を介して各種データの送受信を実現する。
【００２２】
他方、主制御部１１は、図示しないが、中央演算処理装置（以下「ＣＰＵ」という）、ランダムアクセスメモリ（以下「ＲＡＭ」という）、リードオンリーメモリ（以下「ＲＯＭ」という）などからなっており、この生産状態表示装置１を統括的に制御するようになっている。この主制御部１１が果たす機能に着目すれば、この主制御部１１は、図３に示すように、さらに、類特定データ表示実行部１１ａ、類特定データ選択実行部１１ｂ、生産系データ収集実行部１１ｃ、指令データ特定データ表示実行部１１ｄ、指令データ選択実行部１１ｅ、生産系編集データ作成実行部１１ｆ、生産系編集データ表示実行部１１ｇ及び指令データテーブル改変実行部１１ｈの各装置を含むものとして構成されている。すなわち、この主制御部１１には、これらの各装置の機能を実現させるためのプログラムが格納されており、プログラムが必要に応じて展開・起動している。
【００２３】
つまり、このようなプログラムには、生産状態表示装置１たるコンピュータを、類特定データファイル記憶部としてのテーブル記憶部１２、類特定データ表示実行部１１ａ、類特定データ選択実行部１１ｂ、生産系データテーブル記憶部としてのテーブル記憶部１２、生産系データ収集実行部１１ｃ、指令データテーブル記憶部としてのテーブル記憶部１２、指令データ特定データ表示実行部１１ｄ、指令データ選択実行部１１ｅ、生産系編集データ作成実行部１１ｆ、生産系編集データファイル記憶部としてのテーブル記憶部１２、生産系編集データ表示実行部１１ｇ及び指令データテーブル改変実行部１１ｈとして機能させるものが含まれる。
【００２４】
以下、この主制御部１１を構成する各装置についてさらに詳細に説明する。なお、ここでは、これらの各装置が一箇所に存在する場合について説明するが、これに限られるものではなく、これらの各装置が通信ネットワークを介して散在する場合でも、以下の説明が妥当する。
【００２５】
（１）類特定データ表示実行部１１ａ
類特定データ表示実行部１１ａは、記憶した類特定データの表示を上下関係をもつ複数の層に分けて互いに対応づけて表示部１３ｂを通じて実行する機能を果たす。
【００２６】
（２）類特定データ選択実行部１１ｂ
類特定データ選択実行部１１ｂは、記憶した類特定データの中から生産状態の表示に必要となる類特定データの選択を入力部１３ａを通じて実行する機能を果たす。
【００２７】
（３）生産系データ収集実行部１１ｃ
生産系データ収集実行部１１ｃは、選択した類特定データに係る類に含まれる生産系データの収集を実行する機能を果たす。
【００２８】
（４）指令データ特定データ表示実行部１１ｄ
指令データ特定データ表示実行部１１ｄは、記憶されている指令データテーブル１２ｃにおける指令データ特定データの表示を上下関係をもつ複数の層に分けて互いに対応づけて表示部１３ｂを通じて実行する機能を果たす。
【００２９】
（５）指令データ選択実行部１１ｅ
指令データ選択実行部１１ｅは、生産状態の表示に必要となる指令データの選択を、入力部１３ａから入力された指令データ特定データに対応する指令データを指令データテーブル１２ｃから抽出することにより、実行する機能を果たす。
【００３０】
（６）生産系編集データ作成実行部１１ｆ
生産系編集データ作成実行部１１ｆは、選択した指令データに係る指令に従って生産系データの編集による生産系編集データの作成を実行する機能を果たす。
【００３１】
（７）生産系編集データ表示実行部１１ｇ
生産系編集データ表示実行部１１ｇは、入力部１３ａから入力された生産系編集データ特定データに対応する生産系編集データを生産系編集データテーブル１２ｄから抽出し、抽出した生産系編集データの表示を表示部１３ｂを通じて実行する機能を果たす。
【００３２】
（８）指令データテーブル改変実行部１１ｈ
指令データテーブル改変実行部１１ｈは、指令データテーブル記憶部としてのテーブル記憶部１２における指令データテーブル１２ｃの改変を、入力部１３ａから入力された改変データを用いて、実行する機能を果たす。
【００３３】
本実施の形態において、指令データテーブル改変実行部１１ｈによるテーブル記憶部１２における指令データテーブル１２ｃの改変は、改変前のテーブル記憶部１２における指令データテーブル１２ｃを履歴として残しながら実行されるものとして構成されている。
【００３４】
このような指令データテーブル改変実行部１１ｈによれば、指令データテーブル１２ｃの改変が繰り返されることにより蓄積されていく指令データテーブル１２ｃを履歴データとして残していくことが可能となっており、これにより、効率的かつ効果的な事後的管理を担保することが可能となっている。
【００３５】
上記したように、このような生産状態表示装置１によれば、指令データテーブル記憶部としてのテーブル記憶部１２、指令データ特定データ表示実行部１１ｄ、指令データ選択実行部１１ｅ、生産系編集データ作成実行部１１ｆ、生産系編集データファイル記憶部としてのテーブル記憶部１２、生産系編集データ表示実行部１１ｇ及び指令データテーブル改変実行部１１ｈを含むものとして構成されているので、迅速かつ的確な生産状態の把握が可能となり、ひいては効率的かつ効果的な事後的管理を行うことが可能となる非定型的な生産状態の表示が得られることとなる。
【００３６】
加えて、このような生産状態表示装置１によれば、類特定データファイル記憶部としてのテーブル記憶部１２、類特定データ表示実行部１１ａ、類特定データ選択実行部１１ｂ及び生産系データテーブル記憶部としてのテーブル記憶部１２を含むものとして構成されているので、さらに迅速かつ的確な生産状態の把握が可能となり、ひいては効率的かつ効果的な事後的管理を担保し得る非定型的な生産状態の表示が得られることとなる。
【００３７】
したがって、これによれば、工場生産において見えざる問題の探索、発見工数の低減効果が得られる。
【００３８】
［生産状態表示方法］
図４は本発明の一実施の形態に係る生産状態表示方法の全体構成を説明するフローチャート、図５は生産状態表示方法の部分構成を説明する概念図を示している。
【００３９】
本実施の形態において、生産状態表示方法は、上記したような生産状態表示装置１を用いて行うものであり、図４にフローチャートとして示すように、ステップ１〜ステップ１２までの各ステップにより構成されており、これらのうちステップ３からステップ６までは連動して実行されるよう構成されている。以下、図４を用いて、図１〜図３及び図５を参照にしながら、各ステップについて説明する。
【００４０】
（１）ステップ１（ＳＴ１）
これは、類特定データファイル記憶部たるテーブル記憶部１２が、生産系データの類を特定する類特定データを上下関係をもつ複数の層に分けて互いに対応づけてなる類特定データファイル１２ａを記憶するステップである。
【００４１】
（２）ステップ２（ＳＴ２）
これは、類特定データ表示実行部１１ａが、記憶した類特定データの表示を上下関係をもつ複数の層に分けて互いに対応づけて表示部１３ｂを通じて実行するステップである。
【００４２】
この具体的な事例では、類特定データは、例えば図５の右下欄に示すような、上下関係をもつ複数の層に分けて互いに対応づけて表示されるツリー構造を有しているデータカタログとして得られる。
【００４３】
なお、この類特定データは、図５の中央下欄に示すように、生産システムが改変されたような場合には、改変された生産システムからデータ取込みが実行されるようになっており、これにより、類特定データの改変も実行される。
【００４４】
（３）ステップ３（ＳＴ３）
これは、類特定データ選択実行部１１ｂが、記憶した類特定データの中から生産状態の表示に必要となる類特定データの選択を入力部１３ａを通じて実行するステップである。
ここで、類特定データの選択についての手続きデータは、後記する所定の制約条件、所定の項目その他の生産系編集データの作成に必要となる指令を含む指令データとなる。すなわち、後記するステップ６は、指令データテーブル記憶部たるテーブル記憶部１２が、類特定データの選択についての手続きデータたる指令データを特定する指令データ特定データであって上下関係をもつ複数の層に分けて互いに対応づけられているものに対して指令データが対応させられている指令データテーブル１２ｃを記憶するステップをも含むものとして構成されている。
【００４５】
このステップ３における類特定データの選択は、例えば図５の右下欄に示すような、ビューの表示を用いて行うミッション定義及びミッション投入として実行される。
【００４６】
この具体的な事例では、同図に示すように、ファイル名称、データ項目、データ範囲、収集内容の定義（いつ取り込むか）などを含むミッション１を定義するという態様となる。
【００４７】
（４）ステップ４（ＳＴ４）
これは、生産系データ収集実行部１１ｃが、選択した類特定データに係る類に含まれる生産系データの収集を実行するステップである。
【００４８】
この具体的な事例では、例えば図５の中央下欄に示すように、ステップ３で定義したミッション１を生産系データ収集実行部１１ｃとしての構築Ａｇｅｎｔに投入することにより、同図の左下欄に示すような、生産系データ収集実行部１１ｃとしての構築Ａｇｅｎｔによって生産システムからのデータ取込み（定義したミッション１に基づく生産系データの収集）が実行される。
【００４９】
（５）ステップ５（ＳＴ５）
これは、生産系データテーブル記憶部たるテーブル記憶部１２が、類特定データに対して類に含まれる収集した生産系データが対応させられている生産系データテーブル１２ｂを記憶するステップである。
【００５０】
この具体的な事例では、類特定データとして、例えば画像、製造、品質などの目的別に区分けするもの用いており、これにより、例えば図５の左上欄に示すような、目的別データベースが構築される。
【００５１】
（６）ステップ６（ＳＴ６）
これは、指令データテーブル記憶部たるテーブル記憶部１２が、所定の制約条件、所定の項目その他の生産系編集データの作成に必要となる指令を含む指令データを特定する指令データ特定データであって上下関係をもつ複数の層に分けて互いに対応づけられているものに対して指令データが対応させられている指令データテーブル１２ｃを記憶するステップである。
【００５２】
この具体的な事例では、例えば図５の右上欄に示すような、ミッション定義データベースが構築される。
【００５３】
（７）ステップ７（ＳＴ７）
これは、指令データ特定データ表示実行部１１ｄが、記憶されている指令データテーブル１２ｃにおける指令データ特定データの表示を上下関係をもつ複数の層に分けて互いに対応づけて表示部１３ｂを通じて実行するステップである。
【００５４】
この具体的な事例では、指令データ特定データは、例えば図５の右上欄に示すような、上下関係をもつ複数の層に分けて互いに対応づけて表示されるツリー構造を有しているデータカタログとして得られる。
【００５５】
なお、この指令データ特定データは、図５の中央上欄に示すように、生産システムが改変に伴い目的別データベースが改変されたような場合には、改変された目的別データベースに対応してデータ反映が実行され、加えて、作成した生産系編集データからのデータ取込みも実行されるようになっており、これにより、指令データ特定データの改変も実行される。
【００５６】
（８）ステップ８（ＳＴ８）
これは、指令データ選択実行部１１ｅが、生産状態の表示に必要となる指令データの選択を、入力部１３ａから入力された指令データ特定データに対応する指令データを指令データテーブル１２ｃから抽出することにより、実行するステップである。
ここで、指令データの選択についての手続きデータは、前記した所定の制約条件、所定の項目その他の生産系編集データの作成に必要となる指令を含む指令データとなる。すなわち、前記したステップ６は、指令データテーブル記憶部たるテーブル記憶部１２が、指令データの選択についての手続きデータたる指令データを特定する指令データ特定データであって上下関係をもつ複数の層に分けて互いに対応づけられているものに対して指令データが対応させられている指令データテーブル１２ｃを記憶するステップをも含むものとして構成されている。
【００５７】
この具体的な事例では、同図に示すように、ファイル名称、データ項目、データ範囲、編集内容の定義（いつ取り込むか）などを含むミッション２を定義するという態様となる。
【００５８】
（９）ステップ９（ＳＴ９）
これは、生産系編集データ作成実行部１１ｆが、選択した指令データに係る指令に従って生産系データの編集による生産系編集データの作成を実行するステップである。
【００５９】
この具体的な事例では、例えば図５の中央上欄に示すように、ステップ８で定義したミッション２を生産系編集データ作成実行部１１ｆとしての抽出・検索Ａｇｅｎｔに投入することにより、同図の左上欄に示すような、生産系編集データ作成実行部１１ｆとしての抽出・検索Ａｇｅｎｔによって目的別データベースからのデータ取込み（定義したミッション２に基づく生産系データの編集による生産系編集データの作成）が実行される。
【００６０】
（１０）ステップ１０（ＳＴ１０）
これは、生産系編集データ表示実行部１１ｇが、入力部１３ａから入力された生産系編集データ特定データに対応する生産系編集データを生産系編集データテーブル１２ｄから抽出し、抽出した生産系編集データの表示を表示部１３ｂを通じて実行するステップである。
【００６１】
（１１）ステップ１１（ＳＴ１１）
これは、生産系編集データファイル記憶部たるテーブル記憶部１２が、作成した生産系編集データを特定する生産系編集データ特定データに対して生産系編集データが対応させられている生産系編集データテーブル１２ｄを記憶するステップである。
【００６２】
この具体的な事例では、例えば図５の中央上欄に示すような、追加データベースが構築されることとなっている。
【００６３】
（１２）ステップ１２（ＳＴ１２）
これは、指令データテーブル改変実行部１１ｈが、指令データテーブル１２ｃ記憶部１２における指令データテーブル１２ｃの改変を、入力部１３ａから入力された改変データを用いて、実行するステップである。
ここで、指令データテーブル１２ｃの改変についての手続きデータは、そのまま前記した所定の制約条件、所定の項目その他の生産系編集データの作成に必要となる指令を含む指令データとなる。すなわち、前記したステップ６は、指令データテーブル記憶部たるテーブル記憶部１２が、指令データテーブル１２ｃの改変についての手続きデータたる指令データを特定する指令データ特定データであって上下関係をもつ複数の層に分けて互いに対応づけられているものに対して指令データが対応させられている指令データテーブル１２ｃを記憶するステップをも含むものとして構成されている。
【００６４】
本実施の形態において、指令データテーブル改変実行部１１ｈによる指令データテーブル１２ｃ記憶部１２における指令データテーブル１２ｃの改変は、改変前の指令データテーブル１２ｃ記憶部１２における指令データテーブル１２ｃを履歴として残しながら実行されるものとして構成されている。
【００６５】
このような指令データテーブル１２ｃの改変によれば、指令データテーブル１２ｃの改変が繰り返されることにより蓄積されていく指令データテーブル１２ｃを履歴データとして残していくことが可能となっており、これにより、効率的かつ効果的な事後的管理を担保することが可能となっている。
【００６６】
このステップ１２における指令データテーブル１２ｃの改変は、例えば図５の右上欄に示すような、ビューの表示を用いて行うミッションの再定義として実行される。
【００６７】
この具体的な事例では、同図に示すように、ファイル名称、データ項目、データ範囲、編集内容の定義（いつ取り込むか）などを含むものとして定義されているミッション２を再度定義し直すが、再定義したミッション２の抽出・検索Ａｇｅｎｔへの投入はしないという態様となる。
【００６８】
これにより、本実施の形態に係る生産状態表示方法が終了する。
【００６９】
すなわち、このような生産状態表示方法によれば、指令データテーブル１２ｃの記憶、指令データ特定データの表示、指令データの選択、生産系編集データの作成、生産系編集データファイル１２ｄの記憶及び生産系編集データの表示、指令データテーブル１２ｃの改変を行うステップを含むものとして構成されているので、迅速かつ的確な生産状態の把握が可能となり、ひいては効率的かつ効果的な事後的管理を行うことができる非定型的な生産状態の表示が得られることとなる。
【００７０】
加えて、このような生産状態表示方法によれば、類特定データファイル１２ａの記憶、類特定データの表示、類特定データの選択及び生産系データテーブル１２ｂの記憶を行うステップを含むものとして構成されているので、さらに一層迅速かつ的確な生産状態の把握が可能となり、ひいては効率的かつ効果的な事後的管理を担保し得る非定型的な生産状態の表示が得られることとなる。
【００７１】
したがって、これによれば、工場生産において見えざる問題の探索、発見コストの低減効果が確実かつ十分に得られることが可能となる。
【００７２】
【発明の効果】
本発明に係る生産状態表示装置、生産状態表示方法及び生産状態表示装置用のプログラムによれば、工場生産において見えざる問題の探索、発見コストの低減効果が確実かつ十分に得られることとなる。
【図面の簡単な説明】
【図１】本発明の一実施の形態に係る生産状態表示装置が適用された情報システムの全体構成図である。
【図２】本発明の一実施の形態に係る生産状態表示装置が適用された情報システムの部分構成図である。
【図３】本発明の一実施の形態に係る生産状態表示装置の全体構成図である。
【図４】本発明の一実施の形態に係る生産状態表示方法の全体構成を説明するフローチャートである。
【図５】本発明の一実施の形態に係る生産状態表示方法の部分構成を説明する概念図を示している。
【符号の説明】
１ 生産状態表示装置
１１ 主制御部
１１ａ 類特定データ表示実行部
１１ｂ 類特定データ選択実行部
１１ｃ 生産系データ収集実行部
１１ｄ 指令データ特定データ表示実行部
１１ｅ 指令データ選択実行部
１１ｆ 生産系編集データ作成実行部
１１ｇ 生産系編集データ表示実行部
１１ｈ 指令データテーブル改変実行部
１２ テーブル記憶部
１２ａ 類特定データファイル
１２ｂ 生産系データテーブル
１２ｃ 指令データテーブル
１２ｄ 生産系編集データテーブル
１３ 入出力部
１３ａ 入力部
１３ｂ 表示部
１４ 通信制御部
Ｂ バス線
【図１】
0004495390.tif 000002
【図２】
0004495390.tif 000003
【図３】
0004495390.tif 000004
【図４】
0004495390.tif 000005
【図５】
0004495390.tif 000006